(57)【要約】【課題】選択した端末間のみで通信可能な安全なアドホックネットワークを簡単に形成し、通信を行う事を可能にする無線通信システムを提供する事を目的とする。【解決手段】無線画像表示端末１０３、１０５、１０７、１０９は、各端末に固有の識別ＩＤを生成し、その識別ＩＤを含むＳＳＩＤ文字列を生成し設定する。無線情報端末１０１は、ＳＳＩＤリストから、無線画像表示端末のＳＳＩＤを抽出し、そのＳＳＩＤ文字列中に含まれる識別ＩＤから、識別ＩＤリストを生成する。さらに、識別ＩＤリストから通信を行いたい無線画像表示端末の識別ＩＤを選択し、その識別ＩＤを含むＳＳＩＤ文字列を生成し設定する。無線画像表示端末１０３、１０５、１０７、１０９は、ＳＳＩＤリストを生成し、その端末の識別ＩＤを含む無線情報端末１０１のＳＳＩＤが検出された場合、検出されたＳＳＩＤを設定する。【選択図】図４
2010193238.tif 000002
【特許請求の範囲】
【請求項１】
送信側端末が、所望の受信側端末とアドホックネットワークを形成する無線通信システムであって、
受信側端末は、該端末固有の識別ＩＤを含むＳＳＩＤを生成する第１ＳＳＩＤ生成部と、
前記識別ＩＤを含む送信側端末のＳＳＩＤを検出するＳＳＩＤ検出部と、
前記第１ＳＳＩＤ生成部により生成されたＳＳＩＤ又は前記ＳＳＩＤ検出部により検出されたＳＳＩＤを設定する第１無線設定部と、を備え、
送信側端末は、
前記識別ＩＤを含む受信側端末のＳＳＩＤのリストを作成する対象端末ＳＳＩＤリスト作成部と、
前記ＳＳＩＤのリストから、前記識別ＩＤのリストを作成する識別ＩＤリスト作成部と、
前記識別ＩＤのリストから、所望の識別ＩＤを選択する受信側端末選択部と、
選択された前記識別ＩＤを含むＳＳＩＤを生成する第２ＳＳＩＤ生成部と、
生成された前記ＳＳＩＤを設定する第２無線設定部と、
を備えたことを特徴とする無線通信システム。
【請求項２】
送信側無線端末が、通信を行いたい受信側無線端末とのみアドホックネットワークを形成する無線通信システムであって、
前記受信側無線端末は、
その受信側無線端末を特定する固有の識別ＩＤを生成する識別ＩＤ生成部と、
前記識別ＩＤ生成部により生成された前記識別ＩＤと受信側無線端末である事を示す第１識別子とを含んで構成されるＳＳＩＤ文字列を生成する第１ＳＳＩＤ生成部と、
通信環境中に存在する無線端末のＳＳＩＤの検索を行い、通信要求である事を示す第２識別子と自身が持つ前記識別ＩＤを含んだＳＳＩＤを検出するＳＳＩＤ検出部と、
前記第１ＳＳＩＤ生成部により生成されたＳＳＩＤや前記ＳＳＩＤ検出部により検出されたＳＳＩＤを設定する第１無線設定部と、
を含んで構成され
前記送信側無線端末は、
通信環境中に存在する無線端末のＳＳＩＤの検索を行い、前記第１識別子を含むＳＳＩＤを抽出する対象無線端末ＳＳＩＤリスト作成部と、
前記対象無線端末ＳＳＩＤリスト作成部により作成されたＳＳＩＤリストから、ＳＳＩＤ文字列中に含まれる前記識別ＩＤを抽出する識別ＩＤリスト作成部と、
前記識別ＩＤリスト生成部により生成されたリストから、通信を行いたい受信側無線端末を選択するための受信側無線端末選択部と、
前記受信側無線端末選択部により選択された受信側無線端末が持つそれぞれの前記識別ＩＤと通信要求である事を示す前記第２識別子を含んで構成されるＳＳＩＤ文字列を生成する第２ＳＳＩＤ生成部と、
前記第２ＳＳＩＤ生成部により生成されたＳＳＩＤを設定する第２無線設定部と、
を含んで構成され、
前記送信側無線端末が、前記受信側無線端末選択部によりデータを送信したい受信側無線端末を選択した場合、前記第２ＳＳＩＤ生成部により、選択した受信側無線端末のそれぞれの前記識別ＩＤを含むＳＳＩＤ文字列を生成、前記第２ＳＳＩＤ文字列により生成されたＳＳＩＤを前記第２無線設定部により設定し、前記受信側無線端末は、前記ＳＳＩＤ検出部により前記第２識別子と自身が持つ前記識別ＩＤを含むＳＳＩＤを検出した場合、前記ＳＳＩＤ検出部により検出されたＳＳＩＤを前記第１無線設定部により設定する事を特徴とする無線通信システム。
【請求項３】
前記送信側無線端末が、前記受信側無線端末選択部により選択した受信側無線端末とのみ無線ネットワークを構築する事を特徴とする請求項１または請求項２記載の無線通信システム。
【請求項４】
送信側無線端末はパーソナルコンピュータ、受信側無線端末はプロジェクタである事を特徴とする請求項１から請求項３のいずれか１項に記載の無線通信システム。
【請求項５】
送信側端末が、所望の受信側端末とアドホックネットワークを形成する無線通信方法であって、
受信側端末において、該端末固有の識別ＩＤを含むＳＳＩＤを生成する第１ＳＳＩＤ生成ステップと、
生成された前記ＳＳＩＤを設定する第１無線設定ステップと、
送信側端末において、前記識別ＩＤを含む受信側端末のＳＳＩＤのリストを作成する対象端末ＳＳＩＤリスト作成ステップと、
前記ＳＳＩＤのリストから、前記識別ＩＤのリストを作成する識別ＩＤリスト生成ステップと、
前記識別ＩＤのリストから、所望の識別ＩＤを選択する受信側端末選択ステップと、
選択された前記識別ＩＤを含むＳＳＩＤを生成する第２ＳＳＩＤ生成ステップと、
生成された前記ＳＳＩＤを設定する第２無線設定ステップと、
受信側端末において、前記第２無線設定ステップによって設定されたＳＳＩＤであって該端末固有の識別ＩＤを含むＳＳＩＤを検出するＳＳＩＤ検出ステップと、
検出されたＳＳＩＤを設定する第３無線設定ステップと、を具備する無線通信方法。
【請求項６】
送信側無線端末が、通信を行いたい受信側無線端末とのみアドホックネットワークを構築する無線通信方法であって、
前記受信側無線端末は、
その受信側無線端末を特定する固有の識別ＩＤを生成する識別ＩＤ生成ステップと、
前記識別ＩＤ生成ステップにより生成された前記識別ＩＤと受信側無線端末である事を示す第１識別子とを含んで構成されるＳＳＩＤ文字列を生成する第１ＳＳＩＤ生成ステップと、
通信環境中に存在する無線端末のＳＳＩＤの検索を行い、通信要求である事を示す第２識別子と自身が持つ前記識別ＩＤを含んだＳＳＩＤを検出するＳＳＩＤ検出ステップと、
前記第１ＳＳＩＤ生成ステップにより生成されたＳＳＩＤや前記ＳＳＩＤ検出ステップにより検出されたＳＳＩＤを設定する第１無線設定ステップと、
を含んで構成され
前記送信側無線端末は、
通信環境中に存在する無線端末のＳＳＩＤの検索を行い、前記第１識別子を含むＳＳＩＤを抽出する対象無線端末ＳＳＩＤリスト作成ステップと、
前記対象無線端末ＳＳＩＤリスト作成ステップにより作成されたＳＳＩＤリストから、ＳＳＩＤ文字列中に含まれる前記識別ＩＤを抽出する識別ＩＤリスト生成ステップと、
前記識別ＩＤリスト生成ステップにより生成されたリストから、通信を行いたい受信側無線端末を選択するための受信側無線端末選択ステップと、
前記受信側無線端末選択ステップにより選択された受信側無線端末が持つそれぞれの前記識別ＩＤと通信要求である事を示す前記第２識別子を含んで構成されるＳＳＩＤ文字列を生成する第２ＳＳＩＤ生成ステップと、
前記第２ＳＳＩＤ生成ステップにより生成されたＳＳＩＤを設定する第２無線設定ステップと、
を含んで構成され、
前記送信側無線端末が、前記受信側無線端末選択ステップによりデータを送信したい受信側無線端末を選択した場合、前記第２ＳＳＩＤ生成ステップにより、選択した受信側無線端末のそれぞれの前記識別ＩＤを含むＳＳＩＤ文字列を生成、前記第２ＳＳＩＤ文字列により生成されたＳＳＩＤを前記第２無線設定ステップにより設定し、前記受信側無線端末は、前記ＳＳＩＤ検出ステップにより前記第２識別子と自身が持つ前記識別ＩＤを含むＳＳＩＤを検出した場合、前記ＳＳＩＤ検出ステップにより検出されたＳＳＩＤを前記第１無線設定ステップにより設定する事を特徴とする無線通信方法。
【発明の詳細な説明】
【技術分野】
【０００１】
本発明は、無線ＬＡＮ（Local Area Network）のアドホックモード（ad hoc mode）において、選択した端末間のみで通信可能な安全なネットワークを簡単に形成し、通信を行う事を可能にする無線通信システムおよび無線通信方法に関する。
【背景技術】
【０００２】
従来、簡単に特定の端末間での通信を可能にする無線通信システムに関しては、予め決められた文字列のＳＳＩＤ（Service Set Identifier）が検出された場合にアドホックネットワークを形成するもの（特許文献１参照）や、画像にＩＤを振り、表示要求のあった画像に含まれるＩＤをＳＳＩＤとして、そのＳＳＩＤと同じＩＤを含む画像を所有する端末同士でアドホックネットワークを形成するようにしたもの（特許文献２参照）が知られている。
【特許文献１】特開２００２−１９８９７１号公報
【特許文献２】特開２００８−１２４９９２号公報
【発明の開示】
【発明が解決しようとする課題】
【０００３】
ところで、特許文献１や２では、同じＩＤを持つ端末は全てそのネットワークに取り込まれてしまうため、意図していない端末までもデータの送受信が可能になるという課題があった。
【０００４】
本発明は、上記実情に鑑みてなされたものであり、選択した端末間のみで通信可能な安全なアドホックネットワークを簡単に形成し、通信を行う事を可能にする無線通信システムおよび無線通信方法を提供する事を目的とする。
【課題を解決するための手段】
【０００５】
前記課題を解決するために本発明の無線通信システムは、送信側端末が、所望の受信側端末とアドホックネットワークを形成する無線通信システムであって、受信側端末は、該端末固有の識別ＩＤを含むＳＳＩＤを生成する第１ＳＳＩＤ生成部と、前記識別ＩＤを含む送信側端末のＳＳＩＤを検出するＳＳＩＤ検出部と、前記第１ＳＳＩＤ生成部により生成されたＳＳＩＤ又は前記ＳＳＩＤ検出部により検出されたＳＳＩＤを設定する第１無線設定部と、を備え、送信側端末は、前記識別ＩＤを含む受信側端末のＳＳＩＤのリストを作成する対象端末ＳＳＩＤリスト作成部と、前記ＳＳＩＤのリストから、前記識別ＩＤのリストを作成する識別ＩＤリスト作成部と、前記識別ＩＤのリストから、所望の識別ＩＤを選択する受信側端末選択部と、選択された前記識別ＩＤを含むＳＳＩＤを生成する第２ＳＳＩＤ生成部と、生成された前記ＳＳＩＤを設定する第２無線設定部と、を備えたことを特徴とする。
【０００６】
また、本発明の無線通信システムは、送信側無線端末が、通信を行いたい受信側無線端末のみとアドホックネットワークを形成する無線通信システムにおいて、前記受信側無線端末は、その受信側無線端末を特定する固有の識別ＩＤを生成する識別ＩＤ生成部と、前記識別ＩＤ生成部により生成された前記識別ＩＤと受信側無線端末である事を示す第１識別子とを含んで構成されるＳＳＩＤ文字列を生成する第１ＳＳＩＤ生成部と、通信環境中に存在する無線端末のＳＳＩＤの検索を行い、通信要求である事を示す第２識別子と自身が持つ前記識別ＩＤを含んだＳＳＩＤを検出するＳＳＩＤ検出部と、前記第１ＳＳＩＤ生成部により生成されたＳＳＩＤや前記ＳＳＩＤ検出部により検出されたＳＳＩＤを設定する第１無線設定部と、を含んで構成され、前記送信側無線端末は、通信環境中に存在する無線端末のＳＳＩＤの検索を行い、前記第１識別子を含むＳＳＩＤを抽出する対象無線端末ＳＳＩＤリスト作成部と、前記対象無線端末ＳＳＩＤリスト作成部により作成されたＳＳＩＤリストから、ＳＳＩＤ文字列中に含まれる前記識別ＩＤを抽出する識別ＩＤリスト生成部と、前記識別ＩＤリスト生成部により生成されたリストから、通信を行いたい受信側無線端末を選択するための受信側無線端末選択部と、前記受信側無線端末選択部により選択された受信側無線端末が持つそれぞれの前記識別ＩＤと通信要求である事を示す前記第２識別子を含んで構成されるＳＳＩＤ文字列を生成する第２ＳＳＩＤ生成部と、前記第２ＳＳＩＤ生成部により生成されたＳＳＩＤを設定する第２無線設定部と、を含んで構成され、前記送信側無線端末が、前記受信側無線端末選択部によりデータを送信したい受信側無線端末を選択した場合、前記第２ＳＳＩＤ生成部により、選択した受信側無線端末のそれぞれの前記識別ＩＤを含むＳＳＩＤ文字列を生成、前記第２ＳＳＩＤ文字列により生成されたＳＳＩＤを前記第２無線設定部により設定し、前記受信側無線端末は、前記ＳＳＩＤ検出部により前記第２識別子と自身が持つ前記識別ＩＤを含むＳＳＩＤを検出した場合、前記ＳＳＩＤ検出部により検出されたＳＳＩＤを前記第１無線設定部により設定する事を特徴とする。
【０００７】
さらに、本発明の無線通信方法は、送信側端末が、所望の受信側端末とアドホックネットワークを形成する無線通信方法であって、受信側端末において、該端末固有の識別ＩＤを含むＳＳＩＤを生成する第１ＳＳＩＤ生成ステップと、生成された前記ＳＳＩＤを設定する第１無線設定ステップと、送信側端末において、前記識別ＩＤを含む受信側端末のＳＳＩＤのリストを作成する対象端末ＳＳＩＤリスト作成ステップと、前記ＳＳＩＤのリストから、前記識別ＩＤのリストを作成する識別ＩＤリスト生成ステップと、前記識別ＩＤのリストから、所望の識別ＩＤを選択する受信側端末選択ステップと、選択された前記識別ＩＤを含むＳＳＩＤを生成する第２ＳＳＩＤ生成ステップと、生成された前記ＳＳＩＤを設定する第２無線設定ステップと、受信側端末において、前記第２無線設定ステップによって設定されたＳＳＩＤであって該端末固有の識別ＩＤを含むＳＳＩＤを検出するＳＳＩＤ検出ステップと、検出されたＳＳＩＤを設定する第３無線設定ステップと、を具備することを特徴とする。
【０００８】
また、本発明の無線通信方法は、送信側無線端末が、通信を行いたい受信側無線端末とのみアドホックネットワークを構築する無線通信方法であって、前記受信側無線端末は、その受信側無線端末を特定する固有の識別ＩＤを生成する識別ＩＤ生成ステップと、前記識別ＩＤ生成ステップにより生成された前記識別ＩＤと受信側無線端末である事を示す第１識別子とを含んで構成されるＳＳＩＤ文字列を生成する第１ＳＳＩＤ生成ステップと、通信環境中に存在する無線端末のＳＳＩＤの検索を行い、通信要求である事を示す第２識別子と自身が持つ前記識別ＩＤを含んだＳＳＩＤを検出するＳＳＩＤ検出ステップと、前記第１ＳＳＩＤ生成ステップにより生成されたＳＳＩＤや前記ＳＳＩＤ検出ステップにより検出されたＳＳＩＤを設定する第１無線設定ステップと、を含んで構成され、前記送信側無線端末は、通信環境中に存在する無線端末のＳＳＩＤの検索を行い、前記第１識別子を含むＳＳＩＤを抽出する対象無線端末ＳＳＩＤリスト作成ステップと、前記対象無線端末ＳＳＩＤリスト作成ステップにより作成されたＳＳＩＤリストから、ＳＳＩＤ文字列中に含まれる前記識別ＩＤを抽出する識別ＩＤリスト生成ステップと、前記識別ＩＤリスト生成ステップにより生成されたリストから、通信を行いたい受信側無線端末を選択するための受信側無線端末選択ステップと、前記受信側無線端末選択ステップにより選択された受信側無線端末が持つそれぞれの前記識別ＩＤと通信要求である事を示す前記第２識別子を含んで構成されるＳＳＩＤ文字列を生成する第２ＳＳＩＤ生成ステップと、前記第２ＳＳＩＤ生成ステップにより生成されたＳＳＩＤを設定する第２無線設定ステップと、を含んで構成され、前記送信側無線端末が、前記受信側無線端末選択ステップによりデータを送信したい受信側無線端末を選択した場合、前記第２ＳＳＩＤ生成ステップにより、選択した受信側無線端末のそれぞれの前記識別ＩＤを含むＳＳＩＤ文字列を生成、前記第２ＳＳＩＤ文字列により生成されたＳＳＩＤを前記第２無線設定ステップにより設定し、前記受信側無線端末は、前記ＳＳＩＤ検出ステップにより前記第２識別子と自身が持つ前記識別ＩＤを含むＳＳＩＤを検出した場合、前記ＳＳＩＤ検出ステップにより検出されたＳＳＩＤを前記第１無線設定ステップにより設定する事を特徴とするものである。
【発明の効果】
【０００９】
以上のように、本発明によれば、無線ＬＡＮのアドホックモードにおいて、選択した端末間のみで通信可能な安全なネットワークを簡単に形成し、通信を行う事が出来るという有利な効果が得られる。
【発明を実施するための最良の形態】
【００１０】
以下、本発明の実施の形態について、図を用いて説明する。
【００１１】
（実施の形態１）
図１は、本発明の一実施の形態の無線通信システムを含む無線通信環境を示す説明図である。無線通信環境１００は、送信側無線端末となる無線情報端末１０１、受信側無線端末となる無線画像表示端末１０３、１０５、１０７とで構成される無線通信システム以外に、他の無線画像表示端末１０９等が設置されているワイヤレスネットワーク環境である。
【００１２】
無線情報端末１０１は、例えばパーソナルコンピュータであり、通信部１０２には、無線ＬＡＮモジュールが内蔵もしくは、スロットを介して外付けされている。
【００１３】
通信部１０２は、無線画像表示端末１０３、１０５、１０７、１０９との通信を行うものであり、各パケットの送受信に使用される。
【００１４】
無線画像表示端末１０３、１０５、１０７、１０９は、例えばプロジェクターであり、各無線画像表示端末の通信部１０４、１０６、１０８、１１０には、無線ＬＡＮモジュールが内蔵されている。
【００１５】
通信部１０４、１０６、１０８、１１０は、無線情報端末１０１を含む各無線端末との通信を行うものであり、各パケットの送受信に使用される。
【００１６】
無線情報端末１０１と無線画像表示端末１０３、１０５、１０７とは、それぞれアドホックモードにて通信を行っている。
【００１７】
アドホックモードでは、各無線端末が自身のＳＳＩＤ情報をビーコンにのせて定期的に送信している一方で、定期的に各チャンネルのスキャンを行って同一のＳＳＩＤを持つ無線端末を探索し、同一のＳＳＩＤが検出された場合には、ＳＳＩＤが検出されたそのチャンネルで通信を開始する。
【００１８】
また、スキャンの結果、同一のＳＳＩＤが検出されなかった場合には、現在その無線端末に設定されているチャンネルで通信を開始する。そのため、そのＳＳＩＤで最初に起動した無線端末が設定するチャンネルに、そのＳＳＩＤで後から起動した無線端末が従うということになる。
【００１９】
図２は、無線画像表示端末１０３、１０５、１０７、１０９の構成の一部を概略的に示すブロック図である。無線画像表示端末１０３、１０５、１０７、１０９は、制御部２０１、通信部２０２、識別ＩＤ生成部２０３、ＳＳＩＤ生成部２０４、ＳＳＩＤリスト作成部２０５、ＳＳＩＤ検出部２０６、無線設定部２０７を備える。
【００２０】
制御部２０１は、各部分からの情報を受けて、次に行うべき処理を判断する部分である。
【００２１】
通信部２０２は、ビーコン等の各パケットの送受信を行う部分である。
【００２２】
識別ＩＤ生成部２０３は、その端末固有のＩＤを生成する部分である。
【００２３】
ＳＳＩＤ生成部２０４は、無線画像表示端末である事を示す識別子と識別ＩＤ生成部２０３で生成された識別ＩＤからなるＳＳＩＤを生成する部分である。
【００２４】
ＳＳＩＤリスト作成部２０５は、各チャンネルでプローブ要求を行い、それに対するプローブ応答を受信し、その受信したプローブ応答内のＤＳパラメータに含まれるＳＳＩＤ情報を取得する事で、周囲に存在する無線端末のＳＳＩＤのリストを作成する。
【００２５】
ＳＳＩＤ検出部２０６は、ＳＳＩＤリスト作成部２０５により作成された、周囲に存在する無線端末のＳＳＩＤリストの中に、無線情報端末からの通信要求である事を示す識別子とその無線画像表示端末が持つ識別ＩＤを含むＳＳＩＤが存在しないかを検出する部分である。
【００２６】
無線設定部２０７は、ＳＳＩＤを無線ＬＡＮモジュール１０４、１０６、１０８、１１０に設定する部分である。
【００２７】
図３は、無線画像表示端末１０３、１０５、１０７、１０９に付属されているアプリケーションを無線情報端末１０１にインストールすることで導入されるソフトウェアの一部を概略的に示すブロック図である。無線情報端末１０１は、制御部３０１、通信部３０２、ＳＳＩＤリスト作成部３０３、無線画像表示端末ＳＳＩＤリスト作成部３０４、無線画像表示端末識別ＩＤリスト作成部３０５、無線画像表示端末選択部３０６、ＳＳＩＤ生成部３０７、無線設定部３０８を備える。
【００２８】
制御部３０１は、各部分からの情報を受けて、次に行うべき処理を判断する部分である。
【００２９】
通信部３０２は、ビーコン等の各パケットの送受信を行う部分である。
【００３０】
ＳＳＩＤリスト作成部３０３は、各チャンネルでプローブ要求を行い、それに対するプローブ応答を受信し、その受信したプローブ応答内のＤＳパラメータに含まれるＳＳＩＤ情報を取得する事で、周囲に存在する無線端末のＳＳＩＤのリストを作成する。
【００３１】
無線画像表示端末ＳＳＩＤリスト作成部３０４は、ＳＳＩＤリスト作成部３０３により作成されたＳＳＩＤリストから、無線画像表示端末１０３、１０５、１０７、１０９のＳＳＩＤである事を示す識別子が含まれるＳＳＩＤだけを抽出する事で、周囲に存在する無線画像表示端末のＳＳＩＤのリストを作成する部分である。
【００３２】
無線画像表示端末識別ＩＤリスト作成部３０５は、無線画像表示端末ＳＳＩＤリスト作成部３０４により作成されたＳＳＩＤリストを、ＳＳＩＤに含まれる無線画像表示端末の識別ＩＤリストに変換する部分である。
【００３３】
無線画像表示端末選択部３０６は、ユーザーが、無線画像表示端末識別ＩＤリスト作成部３０５により作成された無線画像表示端末識別ＩＤリストから、通信を行いたい無線画像表示端末の識別ＩＤを選択可能にするためのユーザーインターフェースの部分である。
【００３４】
ＳＳＩＤ生成部３０７は、無線画像表示端末選択部３０６によりユーザーが選択した無線画像表示端末が持つそれぞれの識別ＩＤと通信要求である事を示す識別子から構成されるＳＳＩＤを生成する部分である。
【００３５】
無線設定部３０８は、ＳＳＩＤを無線ＬＡＮモジュール１０２に設定する部分である。
【００３６】
以上のように構成された本実施の形態の無線通信システムにおける実際のシーケンスを図４〜７を用いて説明する。
【００３７】
図４は、受信側無線端末となる無線画像表示端末１０３、１０５、１０７、１０９のアドホックネットワークへの参加決定プログラムを、フローチャートにより示している。
【００３８】
無線画像表示端末１０３、１０５、１０７、１０９は起動すると、制御部２０１は、識別ＩＤ生成部２０３に対して、端末固有となる識別ＩＤを生成するように命令する。
【００３９】
識別ＩＤ生成部２０３は、無線画像表示端末のＭＡＣアドレスなどをもとに、端末固有となる識別ＩＤを生成する（Ｓ４０１）。
【００４０】
識別ＩＤの生成が完了すると、次に、制御部２０１は、ＳＳＩＤ生成部２０４に対して、生成された識別ＩＤから構成されるＳＳＩＤ文字列を生成するように命令する。
【００４１】
ＳＳＩＤ生成部２０４は、識別ＩＤ生成部２０３により生成された識別ＩＤに、無線画像表示端末である事を示す識別子を付加してＳＳＩＤ文字列を生成する（Ｓ４０２）。
【００４２】
図６はＳＳＩＤの一例を示すもので、６０１が無線画像表示端末である事を示す識別子、６０２が識別ＩＤである。
【００４３】
ＳＳＩＤ文字列の生成が完了すると、次に、制御部２０１は、無線設定部２０７に対して、ＳＳＩＤ生成部２０４により生成されたＳＳＩＤを設定するように命令する。
【００４４】
無線設定部２０７は、ＳＳＩＤ生成部２０４により生成されたＳＳＩＤを、無線ＬＡＮモジュール１０４、１０６、１０８、１１０に設定する（Ｓ４０３）。
【００４５】
ＳＳＩＤの設定が完了すると、制御部２０１は、ＳＳＩＤリスト作成部２０５に対して、周囲の無線端末のＳＳＩＤリストを作成するように命令する。
【００４６】
ＳＳＩＤリスト作成部２０５は、各チャンネルでプローブ要求を行い、それに対するプローブ応答を受信し、その受信したプローブ応答内のＤＳパラメータに含まれるＳＳＩＤ情報を取得する事で、周囲の無線端末のＳＳＩＤリストを作成する（Ｓ４０４）。
【００４７】
ＳＳＩＤリストの作成が完了すると、制御部２０１は、ＳＳＩＤ検出部２０６に対して、ＳＳＩＤリスト作成部２０５により作成されたＳＳＩＤリストから、無線情報端末１０１の通信要求である事を示す識別子と自身の持つ識別ＩＤとを含むＳＳＩＤを検出するように命令する。
【００４８】
ＳＳＩＤ検出部２０６は、ＳＳＩＤリスト作成部２０５により作成されたＳＳＩＤリスト中に、無線情報端末１０１の通信要求である事を示す識別子と自身の持つ識別ＩＤとを含むＳＳＩＤが存在しないかを確認する（Ｓ４０５）。
【００４９】
ＳＳＩＤ検出部２０６により、該当するＳＳＩＤが検出された場合、制御部２０１は、無線設定部２０７に対して、検出されたＳＳＩＤを設定するように命令する。
【００５０】
無線設定部２０７は、ＳＳＩＤ検出部２０６により検出されたＳＳＩＤを、無線ＬＡＮモジュール１０４、１０６、１０８、１１０に設定する（Ｓ４０６）。
【００５１】
ＳＳＩＤ検出部２０６により、該当するＳＳＩＤが検出されなかった場合、該当するＳＳＩＤが検出されるまで、規定時間毎に、例えば５ｓ毎に、Ｓ４０４からＳ４０５までを繰り返す。
【００５２】
図５は、送信側無線端末となる無線情報端末１０１が、通信を行う無線画像表示端末とのみアドホックネットワークを形成するプログラムをフローチャートにより示している。
【００５３】
無線情報端末１０１がソフトウェアを起動すると、制御部３０１は、ＳＳＩＤリスト作成部３０３に対して、周囲の無線端末のＳＳＩＤリストを作成するように命令する。
【００５４】
ＳＳＩＤリスト作成部３０３は、各チャンネルでプローブ要求を行い、それに対するプローブ応答を受信し、その受信したプローブ応答内のＤＳパラメータに含まれるＳＳＩＤ情報を取得する事で、周囲の無線端末のＳＳＩＤリストを作成する（Ｓ５０１）。
【００５５】
ＳＳＩＤリストの作成が完了すると、制御部３０１は、無線画像表示端末ＳＳＩＤリスト作成部３０４に対して、ＳＳＩＤリスト作成部３０３により作成されたＳＳＩＤリストから、無線画像表示端末のＳＳＩＤだけのリストを作成するように命令する。
【００５６】
無線画像表示端末ＳＳＩＤリスト作成部３０４は、ＳＳＩＤリスト作成部３０３により作成されたＳＳＩＤリストから、無線画像表示端末である事を示す識別子を含むＳＳＩＤを抽出し、無線画像表示端末ＳＳＩＤリストを作成する（Ｓ５０２）。
【００５７】
無線画像表示端末ＳＳＩＤリストの作成が完了すると、制御部３０１は、無線画像表示端末識別ＩＤリスト作成部３０５に対して、無線画像表示端末ＳＳＩＤリスト作成部３０４により作成されたＳＳＩＤリストから、無線画像表示端末の識別ＩＤリストを作成するように命令する。
【００５８】
無線画像表示端末識別ＩＤリスト作成部３０５は、無線画像表示端末ＳＳＩＤリスト作成部により作成されたＳＳＩＤリストを、それぞれのＳＳＩＤ文字列から無線画像表示端末識別ＩＤを抽出し、無線画像表示端末の識別ＩＤリストに置き換える事で、無線画像表示端末識別ＩＤリストを作成する（Ｓ５０３）。
【００５９】
無線画像表示端末識別ＩＤリストの作成が完了すると、制御部３０１は、無線画像表示端末選択部３０６に対して、無線画像表示端末識別ＩＤリストを、無線画像表示端末識別ＩＤリスト作成部により作成された識別ＩＤリストに更新するように命令する。
【００６０】
無線画像表示端末選択部３０６は、現在ユーザーインターフェース上に表示されている無線画像表示識別ＩＤリストを、無線画像表示端末識別ＩＤリスト作成部３０５により作成された識別ＩＤリストに更新する（Ｓ５０４）。
【００６１】
ユーザーが、ユーザーインターフェースにより、無線画像表示端末１０３、１０５、１０７を選択すると、無線画像表示端末選択部３０６は、制御部３０１に対して、無線画像表示端末が選択された事を通知すると同時に、選択された無線画像表示端末１０３、１０５、１０７の識別ＩＤも合わせて通知する（Ｓ５０５）。
【００６２】
制御部３０１は、無線画像表示端末選択部３０６から、選択された無線画像表示端末１０３、１０５、１０７の識別ＩＤの通知を受け取ると、ＳＳＩＤ生成部３０７に対して、選択された無線画像表示端末１０３、１０５、１０７の識別ＩＤから構成されるＳＳＩＤ文字列を生成するように命令する。
【００６３】
ＳＳＩＤ生成部３０７は、無線画像表示端末選択部３０６から制御部３０１に通知された、選択された無線画像表示端末１０３、１０５、１０７の識別ＩＤに、無線情報端末から無線画像表示端末への通信要求である事を示す識別子を付加してＳＳＩＤ文字列を生成する（Ｓ５０６）。
【００６４】
図７はＳＳＩＤの一例を示すもので、７０１が無線情報端末から無線画像表示端末への通信要求である事を示す識別子、７０２が選択された無線画像表示端末のそれぞれの識別ＩＤである。
【００６５】
ＳＳＩＤ文字列の生成が完了すると、次に、制御部３０１は、無線設定部３０８に対して、ＳＳＩＤ生成部３０７により生成されたＳＳＩＤを設定するように命令する。
【００６６】
無線設定部３０８は、ＳＳＩＤ生成部３０７により生成されたＳＳＩＤを、無線ＬＡＮモジュール１０２に設定する（Ｓ５０７）。
【００６７】
無線画像表示端末選択部３０６において、規定時間待機、例えば５ｓ間待機し、その間に、ユーザーによる無線画像表示端末の選択が行われなかった場合、再度Ｓ５０１からＳ５０５までを実行し、それを繰り返す。
【００６８】
従って、無線情報端末は、通信を行いたい無線画像表示端末の識別ＩＤから構成されるＳＳＩＤ文字列を生成し、生成されたＳＳＩＤを設定するだけで、選択した端末間のみで通信可能な安全なアドホックネットワークを簡単に形成し、通信を行う事が出来る。
【００６９】
従って、図１で示すように、無線画像表示端末が複数ある無線通信環境においても、選択した端末間のみで通信可能な安全なアドホックネットワークを簡単に形成し、通信を行う事が出来る。
【産業上の利用可能性】
【００７０】
本発明の無線通信システムは、複数存在する受信側無線端末のうちの、選択した受信側無線端末とだけで通信可能な安全なアドホックネットワークを簡単に形成出来るため、特定の端末間のみでネットワークを形成するような無線通信システムおよび無線通信方法に有用である。
【図面の簡単な説明】
【００７１】
【図１】本発明の一実施の形態の無線通信環境を示す図
【図２】本発明の一実施の形態の無線画像表示端末の概略を示すブロック図
【図３】本発明の一実施の形態の無線情報端末の概略を示すブロック図
【図４】本発明の一実施の形態の無線画像表示端末のネットワーク参加シーケンス図
【図５】本発明の一実施の形態の無線情報端末のネットワーク形成シーケンス図
【図６】本発明の一実施の形態の無線画像表示端末が生成するＳＳＩＤの一例を示す図
【図７】本発明の一実施の形態の無線情報端末が生成するＳＳＩＤの一例を示す図
【符号の説明】
【００７２】
１０１  無線情報端末
１０２、１０４、１０６、１０８、１１０  通信部
１０３、１０５、１０７、１０９  無線画像表示端末
２０１  制御部
２０２  通信部
２０３  識別ＩＤ生成部
２０４  ＳＳＩＤ生成部
２０５  ＳＳＩＤリスト作成部
２０６  ＳＳＩＤ検出部
２０７  無線設定部
３０１  制御部
３０２  通信部
３０３  ＳＳＩＤリスト作成部
３０４  無線画像表示端末ＳＳＩＤリスト作成部
３０５  無線画像表示端末識別ＩＤリスト作成部
３０６  無線画像表示端末選択部
３０７  ＳＳＩＤ生成部
３０８  無線設定部
６０１  無線画像表示端末である事を示す識別子
６０１  識別ＩＤ
７０１  通信要求である事を示す識別子
７０２  選択された無線画像表示端末の識別ＩＤ
【図１】
2010193238.tif 000003
【図２】
2010193238.tif 000004
【図３】
2010193238.tif 000005
【図４】
2010193238.tif 000006
【図５】
2010193238.tif 000007
【図６】
2010193238.tif 000008
【図７】
2010193238.tif 000009